(57)【特許請求の範囲】
【請求項１】
少なくとも１つの画像処理ドラムまたは画像処理ベルトと、
上記画像処理ドラムまたは画像処理ベルトに接する中間画像運搬部材と、
上記中間画像運搬部材を駆動する第１の駆動装置と、
上記少なくとも１つの画像処理ドラムまたは画像処理ベルトを駆動する第２の駆動装置と、を含む印刷システムであつて、
上記第１の駆動装置は、上記中間画像運搬部材の表面速度を第１速度に設定し、上記第２の駆動装置は、上記画像処理ドラムまたは画像処理ベルトの表面速度を上記第１速度と異なる第２速度に設定し、
上記第２の駆動装置は、上記中間画像運搬部材の表面速度での予測可能な外乱により上記画像処理ドラムまたは画像処理ベルトの表面速度が上記中間画像運搬部材の表面速度と同一にならないように、上記画像処理ドラムまたは画像処理ベルトの表面速度を調整する印刷システム。
【請求項２】
上記第２の駆動装置は、上記画像処理ドラムまたは画像処理ベルトを、方程式Ａ＝（ＶHI‐ＶP/R）／（ｔ3‐ｔ1）に従った割合で加速し、Ａは上記画像処理ドラムまたは画像処理ベルトの加速度であり、ＶHIは上記画像処理ドラムまたは画像処理ベルトの予測されるピーク表面速度であり、ＶP/Rは、上記画像処理ドラムまたは画像処理ベルトの表面速度であり、ｔ3は上記画像処理ドラムまたは画像処理ベルトがピーク表面速度に達する時間であり、ｔ1は、上記画像処理ドラムまたは画像処理ベルトが加速し始める時間である、請求項１に記載の印刷システム。
【請求項３】
上記第２の駆動装置は、上記画像処理ドラムまたは画像処理ベルトを、方程式Ｄ＝（ＶHI‐ＶP/R）／（ｔ4‐ｔ3）に従った割合で減速し、Ｄは上記画像処理ドラムまたは画像処理ベルトの減速度であり、ＶHIは上記画像処理ドラムまたは画像処理ベルトの予測されるピーク表面速度であり、ＶP/Rは、上記画像処理ドラムまたは画像処理ベルトの表面速度であり、ｔ4は上記画像処理ドラムまたは画像処理ベルトが公称表面速度に戻る時間であり、ｔ3は上記画像処理ドラムまたは画像処理ベルトがピーク表面速度に達する時間である、請求項１に記載の印刷システム。
【請求項４】
少なくとも１つの画像処理ドラムまたは画像処理ベルトと、
上記画像処理ドラムまたは画像処理ベルトに接する中間画像運搬部材と、
上記中間画像運搬部材を駆動する第１の駆動装置と、
上記少なくとも１つの画像処理ドラムまたは画像処理ベルトを駆動する第２の駆動装置と、を含む印刷システムの印刷方法であって、
上記第１の駆動装置によって、上記中間画像運搬部材の表面速度を第１速度に設定するステップと、
上記第２の駆動装置によって、上記画像処理ドラムまたは画像処理ベルトの表面速度を上記第１速度と異なる第２速度に設定するステップと、
上記第２の駆動装置によって、上記中間画像運搬部材の表面速度での予測可能な外乱により上記画像処理ドラムまたは画像処理ベルトの表面速度が上記中間画像運搬部材の表面速度と同一にならないように、上記画像処理ドラムまたは画像処理ベルトの表面速度を調整するステップと、
を含む印刷方法。
【請求項５】
上記第２の駆動装置によって、上記画像処理ドラムまたは画像処理ベルトを、方程式Ａ＝（ＶHI‐ＶP/R）／（ｔ3‐ｔ1）に従った割合で加速し、Ａは上記画像処理ドラムまたは画像処理ベルトの加速度であり、ＶHIは上記画像処理ドラムまたは画像処理ベルトの予測されるピーク表面速度であり、ＶP/Rは、上記画像処理ドラムまたは画像処理ベルトの表面速度であり、ｔ3は上記画像処理ドラムまたは画像処理ベルトがピーク表面速度に達する時間であり、ｔ1は、上記画像処理ドラムまたは画像処理ベルトが加速し始める時間である、請求項４に記載の印刷方法。
【請求項６】
上記第２の駆動装置によって、上記画像処理ドラムまたは画像処理ベルトを、方程式Ｄ＝（ＶHI‐ＶP/R）／（ｔ4‐ｔ3）に従った割合で減速し、Ｄは上記画像処理ドラムまたは画像処理ベルトの減速度であり、ＶHIは上記画像処理ドラムまたは画像処理ベルトの予測されるピーク表面速度であり、ＶP/Rは、上記画像処理ドラムまたは画像処理ベルトの表面速度であり、ｔ4は上記画像処理ドラムまたは画像処理ベルトが公称表面速度に戻る時間であり、ｔ3は上記画像処理ドラムまたは画像処理ベルトがピーク表面速度に達する時間である、請求項４に記載の印刷方法。
【請求項７】
少なくとも１つの画像処理ドラムまたは画像処理ベルトと、上記画像処理ドラムまたは画像処理ベルトに接する中間画像運搬部材と、上記中間画像運搬部材を駆動する第１の駆動装置と、上記少なくとも１つの画像処理ドラムまたは画像処理ベルトを駆動する第２の駆動装置と、を含む印刷システムのコンピュータによって実行されたときに上記コンピュータが、上記第１の駆動装置によって上記印刷システムの上記中間画像運搬部材の表面速度を第１速度に設定するステップと、上記第２の駆動装置によって上記印刷システムの画像処理ドラムまたは画像処理ベルトの表面速度を上記第１速度と異なる第２速度に設定するステップと、上記第２の駆動装置によって、上記中間画像運搬部材の表面速度での予測可能な外乱により上記画像処理ドラムまたは画像処理ベルトの表面速度が上記中間画像運搬部材の表面速度と同一にならないように、上記画像処理ドラムまたは画像処理ベルトの表面速度を調整するステップと、を含む方法を遂行する命令を記憶するコンピュータの使用に適したデータキャリアを含む、コンピュータプログラム製品。
【請求項８】
上記画像処理ドラムまたは画像処理ベルトは、上記第２の駆動装置によって、方程式Ａ＝（ＶHI‐ＶP/R）／（ｔ3‐ｔ1）に従った割合で加速され、Ａは上記画像処理ドラムまたは画像処理ベルトの加速度であり、ＶHIは上記画像処理ドラムまたは画像処理ベルトの予測されるピーク表面速度であり、ＶP/Rは、上記画像処理ドラムまたは画像処理ベルトの表面速度であり、ｔ3は上記画像処理ドラムまたは画像処理ベルトがピーク表面速度に達する時間であり、ｔ1は、上記画像処理ドラムまたは画像処理ベルトが加速し始める時間である、請求項７に記載の製品。
【請求項９】
上記画像処理ドラムまたは画像処理ベルトは、上記第２の駆動装置によって、方程式Ｄ＝（ＶHI‐ＶP/R）／（ｔ4‐ｔ3）に従った割合で減速され、Ｄは上記画像処理ドラムまたは画像処理ベルトの減速度であり、ＶHIは上記画像処理ドラムまたは画像処理ベルトの予測されるピーク表面速度であり、ＶP/Rは、上記画像処理ドラムまたは画像処理ベルトの表面速度であり、ｔ4は上記画像処理ドラムまたは画像処理ベルトが公称表面速度に戻る時間であり、ｔ3は上記画像処理ドラムまたは画像処理ベルトがピーク表面速度に達する時間である、請求項７に記載の製品。
【発明の詳細な説明】
【背景技術】
【０００１】
背景として、多くの画像形成システムでは、１つまたは複数の画像形成部材が、１つの中間画像運搬部材と係合している。画像を受信するために上記中間部材と有効に接するように、基板が備えられている。画像形成部材の速度分布の外乱に直面すると、画像形成の非均一性が生じる。この外乱は、概して、上記中間部材との有効な接触を遂行する、または、上記接触から離れる、基板の先端部および後端部に起因する。
【０００２】
特に、タンデム色ゼログラフィックプリンタでは、色分解が、４つ以上の第１転写ニップの中間ベルト（ＩＴＢ）において確立され、次に、第２転写ニップにおいて媒体シートに転写される。高い転写効率を得るために、上記シートは、第２転写ニップを通りぬけるときに、ＩＴＢと密接するように備えられる。このニップは、補強ロールによって支持された、ベルトに対してシートを押しつける支持バイアス転写ロールまたはベルトによって形成される。ニップ内の電界を用いて、トナーをベルトから媒体に移動する。媒体の先端部がこのニップに入るとき、シートがニップの開口部を開くのでＩＴＢ駆動システムにトルク外乱が生じる。シート後端部がこのニップから出るとき、もう１つのトルク外乱が生じる。これらのトルク外乱は、その結果、ＩＴＢ駆動システムの回転共振を発生させ、上記回転共振は、ベルト表面の過渡的な速度変化に導く。光受容体の表面速度は、通常、ベルトの公称速度に適合するか、あるいは、上記速度からわずかにそれるように設定されている。ベルトが振動しているとき、中間ベルトと１つまたは複数の光受容体との間の相対速度によって標示が切り替えられ、光受容体の回転振動を誘導する。この振動は、光受容体の画像処理位置での露光強度変化を引き起こし、上記変化が印刷時に目に見えるバンディングをもたらす。
【０００３】
結果的に、第２転写時の媒体操作の外乱に起因するバンディングアーチファクトを回避するための方法およびシステムが必要とされる。
【発明の概要】
【発明が解決しようとする課題】
【０００４】
例示的な実施形態は、光受容体の表面速度を、名目的には、中間ベルト（ＩＴＢ）の公称表面速度とはわずかに異なる速度に設定する方法に関するものである。ＩＴＢの過渡振動をもたらす事象が生じるようにスケジュールされても、光受容体の速度を、速度傾斜分布を介して予防的に変更できる。結果として、光受容体の速度は、過渡的な事象の間のいかなる瞬間においても、ベルト速度を越えること、または、上記速度と同じであることを許可されない。この特徴により、光受容体は、ＩＴＢから動的に切り離されたままである。なぜなら、ベルトによってかけられた明らかな外乱トルクが一定であり、標示を逆転させないからである。
【０００５】
従って、光受容体の速度が名目的にはＩＴＢの速度よりも速く設定される場合、基板が第２転写ニップに入り、上記ニップを出るときに、光受容体の速度がわずかに上昇してもよい。これにより、光受容体はトルク補助モードにはなく、従って、ハーフトーンの非均一性を引き起こす露光中の速度変化を低減できる。
【課題を解決するための手段】
【０００６】
本発明の印刷システムは、少なくとも１つの画像処理ドラムまたは画像処理ベルトと、上記画像処理ドラムまたは画像処理ベルトに接する中間画像運搬部材と、上記中間画像運搬部材を駆動する第１の駆動装置と、上記少なくとも１つの画像処理ドラムまたは画像処理ベルトを駆動する第２の駆動装置と、を含む印刷システムであつて、上記第１の駆動装置は、上記中間画像運搬部材の表面速度を第１速度に設定し、上記第２の駆動装置は、上記画像処理ドラムまたは画像処理ベルトの表面速度を上記第１速度と異なる第２速度に設定し、上記第２の駆動装置は、上記中間画像運搬部材の表面速度での予測可能な外乱により上記画像処理ドラムまたは画像処理ベルトの表面速度が上記中間画像運搬部材の表面速度と同一にならないように、上記画像処理ドラムまたは画像処理ベルトの表面速度を調整することを特徴とする。
【０００７】
本発明の印刷方法は、少なくとも１つの画像処理ドラムまたは画像処理ベルトと、上記画像処理ドラムまたは画像処理ベルトに接する中間画像運搬部材と、上記中間画像運搬部材を駆動する第１の駆動装置と、上記少なくとも１つの画像処理ドラムまたは画像処理ベルトを駆動する第２の駆動装置と、を含む印刷システムの印刷方法であって、上記第１の駆動装置によって、上記中間画像運搬部材の表面速度を第１速度に設定するステップと、上記第２の駆動装置によって、上記画像処理ドラムまたは画像処理ベルトの表面速度を上記第１速度と異なる第２速度に設定するステップと、上記第２の駆動装置によって、上記中間画像運搬部材の表面速度での予測可能な外乱により上記画像処理ドラムまたは画像処理ベルトの表面速度が上記中間画像運搬部材の表面速度と同一にならないように、上記画像処理ドラムまたは画像処理ベルトの表面速度を調整するステップと、を含むことを特徴とする。
【０００８】
本発明のコンピュータプログラム製品は、少なくとも１つの画像処理ドラムまたは画像処理ベルトと、上記画像処理ドラムまたは画像処理ベルトに接する中間画像運搬部材と、上記中間画像運搬部材を駆動する第１の駆動装置と、上記少なくとも１つの画像処理ドラムまたは画像処理ベルトを駆動する第２の駆動装置と、を含む印刷システムのコンピュータによって実行されたときに上記コンピュータが、上記第１の駆動装置によって上記印刷システムの上記中間画像運搬部材の表面速度を第１速度に設定するステップと、上記第２の駆動装置によって上記印刷システムの画像処理ドラムまたは画像処理ベルトの表面速度を上記第１速度と異なる第２速度に設定するステップと、上記第２の駆動装置によって、上記中間画像運搬部材の表面速度での予測可能な外乱により上記画像処理ドラムまたは画像処理ベルトの表面速度が上記中間画像運搬部材の表面速度と同一にならないように、上記画像処理ドラムまたは画像処理ベルトの表面速度を調整するステップと、を含む方法を遂行する命令を記憶するコンピュータの使用に適したデータキャリアを含む。
【図面の簡単な説明】
【０００９】
【図１】上記例示的な実施形態の実施に適した印刷システムの図である。
【図２】上記例示的な実施形態の実施に適した印刷システムの概略図である。
【図３】中間ベルトおよび光受容体の、速度分布と時間とのグラフである。
【図４】上記例示的な実施形態の態様に従った改善された印刷方法を示す流れ図である。
【図５】上記例示的な実施形態の態様にかかる中間ベルトおよび光受容体の速度分布と時間とのグラフである。
【発明を実施するための形態】
【００１０】
以下の説明については、上記図面を参照されたい。上記図面では、同じ参照符号が、全体にわたって同一の要素を示すために用いられる。上記図面に示した実施形態を参照しながら複数の実施形態について説明するが、上記複数の実施形態は他の多くの形態で用いられてもよいということが、理解されるべきである。さらに、要素または材料のいかなる適切な大きさ、形状、または、タイプをも、上記例示的な実施形態の精神から逸脱することなく用いることができる。
【００１１】
従来のタンデム色印刷プロセスでは、４つのマーキングモジュールが用いられる。光導電性ドラムマーキングモジュールが、通常、ドラムのコンパクトさのゆえにタンデム色印刷に用いられる。あるいは、タンデムシステムが、ドラムの代わりに４つの光導電性の画像処理ベルトを用いることができる。各画像処理ドラムまたはベルトサブシステムが、その光導電性の表面を帯電し、その上に潜像を形成し、上記潜像を色のついた画像として現像し、次に、上記薄い色のついた画像を中間ベルトに転写する。このようにして、イエロー、マゼンダ、シアン、およびブラックの単色トナー画像が、中間ベルトの表面に別々に形成および転写される。上記中間ベルトの表面は、従って、スーパーインポーズされた場合にこれら４つの薄い色のついた画像を印刷媒体に転写でき、融解でき、多種多様な色をもたらすことができる、画像収集部材となる。
【００１２】
図１は、中間ベルト（ＩＴＢ）１０２といった画像運搬部材に単色分解を設定することができる、例示的な多機能マーキング装置１００の一例を示す。ＩＴＢ１０２は、垂直の配置が同様に可能であるが、図１では水平方向に示される。
【００１３】
ゼログラフィックマーキングは、通常、十分に均一に帯電した光受容体（またはＰ／Ｒ）に原型の文書の画像を露光することにより、循環して行われる。この例では、ブラック（Ｋ）光受容体１０４、シアン（Ｃ）光受容体１０６、マゼンダ（Ｍ）光受容体１０８、および、イエロー（Ｙ）光受容体１１０という４つの光受容体を示す。各光受容体は光導電性層を備えている。帯電装置が、初めに、接触手段または非接触手段を介して光導電性層に一定の電荷を供給する。画像を有する上記帯電した光受容体をラスタ出力スキャナ（ＲＯＳ）または画像処理アレイ１１２によって露光することにより、画像領域に電荷を保ちながら、原型の文書の非画像領域に相当する光導電性層の領域を放電する。放電領域の現像に関しては、画像領域が放電された領域であり、非画像領域が帯電した領域であるように、逆にしてもよい。従っていずれにしても、光受容体の光導電性層に、原型の文書の静電潜像が生成される。
【００１４】
第２転写ニップ１１４は、概して、ＩＴＢ補強ロール１１６と第２バイアス転写ロール（第２ＢＴＲ）１１８とによって形成されるニップからなる。第２ＢＴＲ１１８は、通常、補強ロール１１６に対してばね仕掛けになっている、変形可能な発泡体またはゴムからなるローラである。ニップの予荷重を考慮すべきである。例えば、上記予荷重は、紙が存在しない場合、約４０Ｎである。従って、厚いシートが第２転写ニップ１１４に入ると、隙間を作り出すために、ＢＴＲ１１８をそらせる作業を実行する必要がある。この事象は、基本的に、ＩＴＢ駆動列に従って行動するステップトルク外乱として作用し、共振モードを発生させることができる。中間ベルト１０２は、厚いシートが上記ベルトの第２転写ニップ１１４に入り、上記ニップを出るとき、上記ベルトの平均速度に対する過渡振動を経験する。過渡的なバンディング不具合が、第２転写ニップ１１４での先端部（ＬＥ）または後端端部（ＴＥ）の事象から移動したシート上の異なる点において生じてしまう。ブラック画像の不具合に関して、この移動は、おおよそ、Ｋ光受容体１０４の露光位置から第２転写ニップ１１４までの距離と関連がある。従って、例えばＬＥが第２転写ニップ１１４に到着したときに生じるベルト振動が、Ｋ光受容体１０４に送られる。ドラムの振動は、バンディングをもたらすＲＯＳ周期的露光変化を引き起こす。
【００１５】
図２は、印刷システム２００の概略図を示す。印刷システム２００は、概して、例えば、ブラック（Ｋ）光受容体（Ｐ／Ｒ）ドラム（またはベルト）２０１、シアン（Ｃ）、マゼンダ（Ｍ）、およびイエロー（Ｙ）といった１つまたは複数の色Ｐ／Ｒドラム（またはベルト）２０２、中間ベルト（またはドラム）２０３といった画像運搬部材、補強ローラ２０４、第１バイアス転写ローラ（またはベルト）２０５、圧縮ばね２０６、位置合わせニップ２０７、用紙搬送路２０８、融解ニップ２０９、色Ｐ／Ｒドラム２０２のそれぞれに対応した、１つまたは複数の付加的なバイアス転写ローラ２１０、ベルト誘導ローラ２１１、第１転写ニップ２１２、第２転写ニップ２１３、駆動モータ２１４、および、システム制御装置２１５を含んでいる。
【００１６】
図２に示したように、第２転写ニップ２１３は、概して、補強ローラ２０４と第１バイアス転写ローラ２０５とからなる。バイアス転写ローラ２０５は、通常、圧縮ばね２０６によって張力が提供されている補強ローラ２０４に対してばね仕掛けの、変形可能な発泡体またはゴムからなるローラである。圧縮ばね２０６が、ねじりばね、引張りコイルばね、または、固定された停止部（ばねなし）であってもよいということに留意すべきである。
【００１７】
厚いシートが第２転写ニップ２１３に入るとき、隙間を作り出すために、第１バイアス転写ローラ２０５をそらせる作業を実行する必要がある。この事象は、基本的に、中間ベルト２０３の駆動列に従って行動するステップトルク外乱として作用し、共振モードを発生させることができる。中間ベルト２０３は、厚いシートが第２転写ニップ２１３に入り、上記ニップを出るとき、上記ベルトの平均速度に対する過渡振動を経験する。過渡的なバンディング不具合が、第２転写ニップ２１３での先端部（ＬＥ）または後端端部（ＴＥ）の事象から移動したシート上の異なる点において生じてしまう。ブラック画像の不具合に関して、この移動は、おおよそ、Ｋ光受容体ドラム２０１の露光位置から第２転写ニップ２１３までの距離と関連がある。従って、例えばＬＥのときに生じるベルト振動が第２転写ニップ２１３に到着し、Ｋ光受容体ドラム２０１に送られる。ドラム２０１の振動は、バンディングをもたらすＲＯＳ周期的露光変化を引き起こす。
【００１８】
図３は、中間ベルト２０３および光受容体（Ｐ／Ｒ）２０１の速度（Ｖ）分布と時間と（ｔ）のグラフを示す。この例では、ブラックＰ／Ｒ２０１を参照する。説明してきたように色Ｐ／Ｒ２０２を制御できるということを、理解されたい。この例では、公称ドラム表面速度（ＶＰ／Ｒ）を、ＩＴＢの速度（ＶＩＴＢ）よりも０．３％‐０．５％速く設定する。このことは、タンデム色機械に特有である。これにより、第１転写性能を促進し、ベルトと光受容体駆動システムを動的に切り離すことが知られている。ドラム駆動の観点から、第１転写ニップ２１２は、滑り速度に起因して一定のドラグトルクを表す。しかし、第２転写ニップ（ｔ１）でのＬＥ到着および第２転写ニップ（ｔ２）からのＴＥ出発という２つ転写事象の効果をも示す。それぞれは、ベルト駆動システムでのステップ外乱トルクとして機能し、ベルトモジュール共振を発生させる。測定されたように、これらの過渡的な外乱は、公称の１％の範囲にある振幅を有することができる。結果として、ベルト速度ＶＩＴＢは、Ｘで示した表示点でのドラム速度を越える。これが生じたとき、Ｐ／Ｒドラム駆動システムは、瞬時に、ドラグトルクよりも補助トルクを見る。このことは、ドラム駆動システム（図示せず）におけるステップトルク外乱応答を誘導する。このドラムの振動は、潜像およびそれに続く印刷でのバンディング不具合を発生させる画像処理点での周期的露光変化に起因する。
【００１９】
図４は、例えばこの問題を図２の印刷システム２００によって解決するために、制御装置２１５を介した実施方法を示す。初めに、ベルト２０３を第１速度に設定し、光受容体の速度を上記速度よりも少し速い速度に設定する（４０１）。上記印刷システムは、第２転写ニップでのシートＬＥ到着といった外乱のない状態が予測される時間の間、これらの速度を維持する（４０２）。ベルト速度における予測可能な外乱に応じて、光受容体の速度を調整し、これにより、その速度は、ベルト速度と同じにはならない（４０３）。このより速い速度を、あらかじめ定められた時間帯の間維持してもよく、次に、ドラムをその公称プロセス速度に戻してもよい。最終的な効果は、ドラム速度が、全時間でのベルト速度よりも速いままであり、従って、光受容体ドラム２０１が、ベルト２０３から動的に切り離されたままであり、振動しないということである。同様の傾斜事象が、シートＴＥが第２転写ニップ２１３を出るときにスケジュールされる。
【００２０】
図５は、図４で説明し示した例示的な方法の態様をさらに示している、中間ベルト（ＩＴＢ）２０３および光受容体（Ｐ／Ｒ）２０１の速度（Ｖ）分布と時間と（ｔ）のグラフを示す。図５を参照すると、シートの先端部がｔ０において位置合わせニップ２０７を出る。光受容体２０１は、ｔ１において加速し始める。シートの先端部は、ｔ２において第２転写ニップ２１３に入る。ｔ３では、Ｐ／Ｒ２０１がそのピーク速度（ＶＨＩ）に達する。あらかじめ定められた期間の後、光受容体２０１は次に減速し始める。ｔ４では、光受容体２０３はその公称速度に戻る。
【００２１】
光受容体の加速度（Ａ）を、以下の方程式によって決定してもよい。
Ａ＝（ＶＨＩ‐ＶＰ／Ｒ）／（ｔ３‐ｔ１）           （１）
【００２２】
システム制御装置２１５は、時間ｔ０、ｔ２、ｔ３、速度ＶＨＩ、ＶＰ／Ｒ、加速度Ａに関して符号化された時間情報を有している。制御装置２１５は次に、上記時間情報から時間ｔ１を計算する。
【００２３】
光受容体２０１の減速度（Ｄ）を、以下の方程式によって決定してもよい。
Ｄ＝（ＶＨＩ‐ＶＰ／Ｒ）／（ｔ４‐ｔ３）           （２）
【００２４】
システム制御装置２１５は、時間ｔ０、ｔ２、ｔ３、速度ＶＨＩ、ＶＰ／Ｒ、加速度Ａに関して符号化された時間情報を有している。制御装置２１５は次に、上記時間情報から時間ｔ４を計算する。
【００２５】
適宜、ＶＰ／ＲおよびＶＨＩを選ぶことができ、これにより、それは常にＶＩＴＢよりも遅くなる（速くない）。
【００２６】
光受容体２０１の意図的な変化が一定の潜像露光を維持するという目標のために逆であるように見えるかもしれないが、本方法において、図５の計画された速度移動域は、光受容体２０１を振動可能にするために重要である。１つの理由は、露光変化の空間的周期性が通常のバンディングの形跡よりも観察者にも明らかに少ないということである。すなわち、事象ごとに単一の循環があり、上記循環が比較的大きい空間的周期を有している。例えば、全事象が０．１０秒続き、公称速度が２５０ｍｍ／秒である場合、上記事象はページの２５ｍｍ部分を越えて広げられてもよい。目は、概して、１ｍｍの範囲内での空間的周期性に対してより敏感に反応する。さらに、このことが計画された事象であるので、光受容体の速度変化をイメージャー（ＲＯＳまたはＬＥＤ）の露光レベルの変化と調整できる。
【００２７】
２５０ｍｍ／秒のドラム速度で動作する印刷システムに関して、公称速度の０．５％の振幅ピークを有する合計０．１０秒で続く速度傾斜事象は、０．０６３ｍｍの局所的なプロセス方向の倍率エラーに起因している場合があるが、このエラーの影響は小さい。全ての光受容体が同じ速度傾斜を同時に受け、ドラムが同調して互いに傾けられるならば、すなわち、局所的な倍率エラーが互いの上端にあるならば、色と色との位置合わせには影響を及ぼさない。さらに、速度傾斜（振幅および持続期間）のパラメータは、システムによって調整されることができ、例えば薄い媒体が印刷されている場合には恐らく使用不可能である。
【００２８】
当業者は、上記様々な方法ステップを、プログラムされたコンピュータによって実行できるということを容易に認識するだろう。ここで、いくつかの複数の実施形態ではまた、機械読取り可能命令プログラムまたはコンピュータ読取り可能命令プログラム、および、エンコード機械実行可能命令プログラムまたはコンピュータ実行可能命令プログラムである、プログラム記憶装置、例えばデジタルデータ記憶媒体、を対象にすることを意図している。ここで、上記命令は、上記方法のいくつかのまたは全てのステップを実行する。上記プログラム記憶装置は、例えば、デジタルメモリ、磁気ディスクおよび磁気テープといった磁気記憶媒体、ハードドライブ、または、光学的読取り可能デジタルデータ記憶媒体であってもよい。上記複数の実施形態ではまた、上記方法のステップを実行するためにプログラムされたコンピュータを対象にすることを意図している。
【００２９】
「制御装置」と名付けられた全ての機能ブロックを含む図に示した様々な要素の機能は、プロセッサを含む適切なソフトウェアと関連してソフトウェアを実行可能なハードウェアと同様に、専用のハードウェアの使用を介して提供されてもよい。プロセッサによって提供されたとき、上記機能は、単一の専用のプロセッサ、単一の共用のプロセッサ、または、複数の個別のプロセッサ（共用のものもある）、によって提供されてもよい。さらには、「プロセッサ」または「制御装置」という用語の明示的使用は、ソフトウェアを実行可能なハードウェアと呼ぶように解釈される必要はなく、デジタル信号プロセッサ（ＤＳＰ）ハードウェア、ネットワークプロセッサ、特定用途向けＩＣ（ＡＳＩＣ）、書替え可能ゲートアレイ（ＦＰＧＡ）、ソフトウェアを記憶するための読取り専用メモリ（ＲＯＭ）、読取り書込み記憶装置（ＲＡＭ）、および、不揮発性記憶装置を暗示的に制限なく含んでいてもよい。また、他の従来のおよび／または特注のハードウェアを含んでいてもよい。同様に、図示したあらゆるスイッチは、単に概念上のものである。上記スイッチの機能は、プログラム論理の動作を介して、専用論理を介して、プログラム制御と専用論理との相互作用を介して、または、手動でさえ、実行されてもよく、上記の考え方からより具体的に理解されるように、特殊な技術は開発者によって選択可能であってもよい。
【図１】
0005809024.tif 000002
【図２】
0005809024.tif 000003
【図３】
0005809024.tif 000004
【図４】
0005809024.tif 000005
【図５】
0005809024.tif 000006